(57)【要約】【課題】軽量且つ加工が容易な木質系素材製のブレースを用いて架構の耐震化を美麗且つ簡便に行うことができながらも、施工後の損傷も生じ難い耐震架構構造を提供する。【解決手段】架構３の構面内に木質系素材からなるブレース４を設けてある耐震架構構造であって、ブレース４の軸方向においてブレース４の端部４Ａの離間移動を許容し且つブレース４の端部４Ａの近接移動を規制する状態でブレース４の端部４Ａを保持する保持具６を、架構３に取付けるとともに、少なくとも一端部を保持具６に保持させる状態でブレース４を架構３の構面内に取付けてある。【選択図】図１
2014148783.tif 000002
【特許請求の範囲】
【請求項１】
架構の構面内に木質系素材からなるブレースを設けてある耐震架構構造であって、
前記ブレースの軸方向においてブレースの端部の離間移動を許容し且つブレースの端部の近接移動を規制する状態でブレースの端部を保持する保持具を、前記架構に取付けるとともに、
少なくとも一端部を前記保持具に保持させる状態で前記ブレースを前記架構の構面内に取付けてある耐震架構構造。
【請求項２】
前記保持具は、前記ブレースの端部を内装状態で保持する保持筒部を備えるとともに、
前記保持筒部の外周側には、前記ブレースの端部を内部に挿入可能な開閉操作自在な挿入口を設けてある請求項１記載の耐震架構構造。
【請求項３】
前記ブレースの軸方向における前記保持具と前記ブレースの端部との対向面間に緩衝材を介在させてある請求項１又は２記載の耐震架構構造。
【請求項４】
前記ブレースを、所定の重量毎で組付け可能に分割した分割ブレース部材から構成してある請求項１〜３のいずれか１項に記載の耐震架構構造。
【請求項５】
前記ブレースは、その木質繊維が前記ブレースの軸方向に沿う状態に形成してあると共に、ブレース端面が前記ブレースの軸方向に対して垂直又は略垂直となるように形成してあり、
前記保持具は、前記ブレース端面に対する対向面が、前記ブレース端面と平行又は略平行となるように形成してある請求項１〜４の何れか１項に記載の耐震架構構造。
【発明の詳細な説明】
【技術分野】
【０００１】
本発明は、耐震架構構造に関し、詳しくは、架構の構面内に木質系素材からなるブレースを設けてある耐震架構構造に関する。
【背景技術】
【０００２】
この種の耐震架構構造は、軽量且つ加工の容易な木質系素材を用いて新設又は既設の架構の耐震化（耐震補強）を美麗且つ簡便に行うものである。
【０００３】
そして、従来、特許文献１に示すように、鉄筋コンクリート造の柱と梁とで囲まれた矩形空間（架構の構面内の空間）に対して木製（木質系素材製の一例）のブレースを備えた木製の壁体を嵌め込み固定することで、この木製壁体による剛性付与により、地震時の架構の変形を抑止するようにしたものがある。
【０００４】
この木製壁体は、矩形空間の内面に沿って木製の角材からなる木製枠部材を鋼材で剛接合するとともに、該木製枠部材の二箇所に対して木製ブレースの端部の各々を鋼材と接着剤とで剛接合して構成されている。
【０００５】
つまり、この木製壁体中の木製ブレースは、架構に剛接合された木製の枠部材との剛接合により、地震時等の架構の変形に対して引張応力と圧縮応力の両方を負担して架構の変形を抑止する。
【先行技術文献】
【特許文献】
【０００６】
【特許文献１】特開２０００−２２０３０３号公報（図３、図５）
【発明の概要】
【発明が解決しようとする課題】
【０００７】
しかしながら、上記従来の耐震架構構造では、木製のブレースが引張力を負担するとき、架構とブレースの端部との接合部（剛接合部）そのものにも大きな引張力が作用するため、その大きな引張力で接合部が破損し、ブレースによる補強機能が喪失する問題が生じ得る。
【０００８】
また、上述の架構とブレースの端部との接合部の破損を防止するのに、該接合部を大きな引張応力に十分に耐え得る頑強な構造にすることが考えられるが、この場合には、コストの増大や施工性の低下等の別の問題が生じる。
【０００９】
本発明は、上述の実状に鑑みて為されたものであって、その主たる課題は、軽量且つ加工が容易な木質系素材からなるブレースを用いて架構の耐震化を美麗且つ簡便に行うことができながらも施工後の損傷も生じ難い耐震架構構造を提供する点にある。
【課題を解決するための手段】
【００１０】
本発明の第１特徴構成は、架構の構面内に木質系素材からなるブレースを設けてある耐震架構構造であって、
前記ブレースの軸方向においてブレースの端部の離間移動を許容し且つブレースの端部の近接移動を規制する状態でブレースの端部を保持する保持具を、前記架構に取付けるとともに、
少なくとも一端部を前記保持具に保持させる状態で前記ブレースを前記架構の構面内に取付けてある点にある。
【００１１】
上記構成によれば、木質系素材からなるブレース（以下、木質系ブレースと略称する場合がある。）に対して圧縮側となる架構の変形（揺れ動き）については、前記保持具によりブレース端部の近接移動を規制する状態で木質系ブレースに圧縮力を伝達するから、地震が発生したとき、木質系ブレースに圧縮力を負担させる状態で架構の変形に抵抗力を発揮させることができる。
【００１２】
それでいて、木質系ブレースに対して引張側となる架構の変形については、保持具によるブレースの端部の離間移動の許容により、架構の変形に追従する保持具と、架構の変形に追従しない木質系ブレースの端部とが相対的に離間移動することで、架構とブレースの端部との接合部に引張力が作用するのを抑止することができる。
【００１３】
従って、軽量且つ加工が容易な木質系ブレースに圧縮力を負担させる状態で架構の耐震化を美麗且つ簡便に行うことができるとともに、地震時において架構とブレースの端部との接合部に引張力が作用して該接合部が破損する不都合が生じるのを抑止することができる。
【００１４】
本発明の第２特徴構成は、前記保持具は、前記ブレースの端部を内装状態で保持する保持筒部を備えるとともに、
前記保持筒部の外周側には、前記ブレースの端部を内部に挿入するための開閉操作自在な挿入口を設けてある点にある。
【００１５】
つまり、この構成によれば、前記保持具の保持筒部の外周側の挿入口を開いた状態で保持筒部の内部に木質系ブレースの端部を挿入し、その後に挿入口を閉じることで、木質系ブレースの端部を保持筒部に保持させることができる。
【００１６】
それ故に、保持筒部の挿入口が架構の構面に対して直交する正面側や背面側を向く姿勢で前記保持具を架構に取付けることで、保持具を架構に取り付けた状態からの木質系ブレースの取付けが可能になるから、木質系ブレースの設置作業を容易に行うことができる。
【００１７】
また、木質系ブレースの設置後において保持具を架構に残したままでの木質系ブレースの取外しも可能になるから、木質系ブレースの修理や交換等のメンテナンス作業も容易に行うことができる。
【００１８】
本発明の第３特徴構成は、前記ブレースの軸方向における前記保持具と前記ブレースの端部との対向面間に緩衝材を介在させてある点にある。
【００１９】
つまり、地震時において木質系ブレースに対して圧縮側となる架構の変形が生じたとき、前記保持具によるブレース端部の近接移動の規制により保持具を介して木質系ブレースに圧縮力を伝達するが、架構の変形初期において木質系ブレースの突っ張り力が架構の保持具取付け部位に初動的に一挙に作用し、そのことで、架構の保持具取付け部位（又はブレースの端部）に損傷が生じる虞がある。
【００２０】
これに対して、上記構成によれば、木質系ブレースの軸方向における前記保持具と前記ブレースの端部との対向面間に緩衝材を介在させてあるから、この緩衝材の緩衝作用により、架構の変形初期における初動的な木質系ブレースの突っ張り力によって架構の保持具取付け部位（又はブレースの端部）に損傷が生じるのを抑止することができる。
【００２１】
本発明の第４特徴構成は、前記ブレースを、所定の重量毎で組付け可能に分割した分割ブレース部材から構成してある点にある。
【００２２】
上記構成によれば、所定の重量（例えば、作業車一人で運搬可能な重量等）の分割ブレース部材単位で施工場所に運搬することができるから、前記ブレースの運搬を容易に行うことができる。
【００２３】
本発明の第５特徴構成は、前記ブレースは、その木質繊維が前記ブレースの軸方向に沿う状態に形成してあると共に、ブレース端面が前記ブレースの軸方向に対して垂直又は略垂直となるように形成してあり、
前記保持具は、前記ブレース端面に対する対向面が、前記ブレース端面と平行又は略平行となるように形成してある点にある。
【００２４】
上記構成によれば、ブレース端面に対して保持具から作用する軸力が、ブレースの木質繊維に沿って作用することになり、木質系ブレースが備えた軸耐力を、フルに発揮することができ、架構全体とした耐震性能の向上を図ることができる。
【図面の簡単な説明】
【００２５】
【図１】耐震架構構造の正面図
【図２】耐震架構構造の要部の縦断面図
【図３】図２におけるＩＩＩ−ＩＩＩ線断面図
【図４】図２におけるＩＶ−ＩＶ線断面図
【図５】（ａ）ブレースの要部の分解斜視図、（ｂ）ブレースの要部の斜視図
【図６】耐震架構構造の分解図
【図７】耐震架構構造の拡大分解図
【図８】（ａ）地震時の耐震架設構造の変形（圧縮側）を示す模式図、（ｂ）地震時の耐震架設構造の変形（引張側）を示す模式図
【図９】別実施形態の耐震架構構造の正面図
【図１０】別実施形態の耐震架構構造の正面図
【図１１】別実施形態の耐震架構構造の正面図
【図１２】別実施形態の耐震架構構造におけるブレースの横断面図
【発明を実施するための形態】
【００２６】
図１は、鉄筋コンクリート造の柱１と梁２とからなる架構３の構面内に木質系素材からなるブレース４を設けてある耐震架構構造を示し、この耐震架構構造は、架構３の内面における柱１と梁２の接続箇所である仕口部５のうち、対角方向に分散位置する二箇所の仕口部５に金属製の保持具６を接着剤Ｊで取付けるとともに、該保持具６の各々にブレース４の端部４Ａの各々を保持させて構成してある。なお、架構３は、鉄筋コンクリート造に限らず、鉄骨鉄筋コンクリート造や鉄骨造等であってもよい。
【００２７】
前記保持具６は、図２、図３、図６、図７に示すように、仕口部５の内面における柱１の上端部に対する取付け面７ａと梁の端部との取付け面７ｂとを外面に備えた側面視Ｌ字状の取付け板部７（取付け部の一例）と、ブレース４の端部４Ａを内装状態で保持する保持筒部８（保持部の一例）とを一体的に備えてなる。
【００２８】
そして、仕口部５の内面に対して取付け板部７の各取付け面７ａ、７ｂをエポキシ樹脂系の接着剤Ｊで接着接合するとともに、前記保持筒部８の内部に前記ブレース４の端部４Ａをブレース４の軸方向に対応する筒長さ方向の一定範囲で移動自在な状態で保持させてある。
【００２９】
つまり、前記保持筒部８の内周面（後述する側板部８ａ〜８ｄの内側面）は、前記ブレース４の端部４Ａをブレース４の軸方向に沿って移動案内する移動ガイド面を構成する。
【００３０】
なお、９は取付け板部７と保持筒部８とに亘る連結板部であり、１０は該連結板部９を補強する板状の補強リブである。
【００３１】
図２、図７に示すように、前記保持筒部８の一端側（取付け板部７の側）の奥側部位には、ブレース４の端部４Ａの近接移動を規制する底板部８Ａ（移動規制部の一例）が設けられている。
【００３２】
つまり、この保持筒部８は、ブレース４の端部４Ａと底板部８Ａとの当接によりブレース４の軸方向に圧縮力を伝達可能な状態で、且つ、底板部８Ａから保持筒部８の開口面８Ｄまでの長さ寸法Ｌの範囲（厳密には、長さ寸法Ｌから後述する緩衝材１１の厚みを差し引いた長さ範囲）でブレース４の端部４Ａの離間移動を自由に許容する状態で、ブレース４の端部４Ａを保持する。
【００３３】
尚、底板部８Ａの表面８Ａａ（ブレース端面に対する対向面に相当）は、ブレース端面４Ａａと平行又は略平行となるように形成してあり、且つ、ブレース４の軸方向に対して垂直又は略垂直となるように形成してある。また、ブレース４は、前述のとおり、木質系素材で形成してあり、その木質繊維４ｃは、図２に示すように、ブレース４の軸方向に沿う状態で形成してある。従って、底板部８Ａから作用する圧縮力の作用方向と繊維方向とが一致（又は略一致）し、木質系素材に備えた軸耐力を、フルに発揮することができる。
【００３４】
また、図３、図６、図７に示すように、保持具６の保持筒部８の周壁を構成する４つの側板部８ａ〜８ｄのうちの一つの側板部８ａ、本例では、取付け板部７を仕口部５に取付けた姿勢で架構３の正面側（正面側又は背面側の一例）を向く横側面側の側板部８ａを着脱操作自在な蓋部材９（開閉手段の一例）から構成してある。
【００３５】
つまり、保持具６は、蓋部材９を残余の保持具本体１３から着脱操作することにより、前記ブレース４の端部４Ａを架構３の構面に直交する方向に沿って保持筒部８の内部に挿入（又は、保持筒部８の内部から離脱）するための挿入口８Ｂを開閉操作自在な構成にしてある。
【００３６】
前記蓋部材９は、前記側板部８ａを構成する基板部９Ａと、これの両端部から直交方向の一方側に延びる一対の取付け板部９Ｂとを備えた横断面視略コの字状の金具から構成してあり、図３に示すように、前記挿入口８Ｂの開口縁を構成する一対の側板部８ｂ、８ｄの夫々に対して各取付け板部９Ｂを外方から重合させた姿勢でビス等の取付け手段Ｂで取り付けることで、保持具本体１３に対して着脱自在に取付けてある。
【００３７】
図３、図７に示すように、前記保持筒部８の底板部８Ａの内面とブレース４の端部４Ａとの対向面間には、シーリング材等からなる緩衝材１１を介在させてあり、当該底板部８Ａとブレース４の端部４Ａとの間での初動的な圧縮力の伝達（逆言すれば、初動的な突っ張り力の伝達）を緩衝材１１で緩衝し、この初動的な圧縮力で、架構３の仕口部５に損傷が生じるのを抑止するようにしてある。
【００３８】
なお、この緩衝材１１は、前記保持筒部８の周壁を構成する各側壁部８ａ〜８ｄの内面とブレース４の端部４Ａの外周面との対向面間にも介在させてある。
【００３９】
前記ブレース４は、図４〜図７に示すように、作業者一人で運搬可能な重量（所定の重量の一例）の４本の分割ブレース部材４ａから構成してあり、図５に示すように、これら４本の分割ブレース部材４ａを組んだ状態から外周面の各面における一方側に偏倚した箇所の夫々で厚み方向に隣接する二本の分割ブレース部材４ａを固定釘１２（固定手段の一例）で縫い付けることで、施工現場等の適所で組み付けて構成してある。なお、分割ブレース部材４ａは、本例では集成材から構成してある。また、分割ブレース部材４ａを固定する固定手段は、固定釘１２に限らず、ねじやビス等であってもよい。
【００４０】
そして、地震が発生したとき、架構３には、木質系素材製のブレース４に対して圧縮側となる揺れと、ブレース４に対して引張側となる揺れが交互に生じるが、この耐震架構構造では圧縮側及び引張側の各揺れに対して以下のように作用する。
【００４１】
まず、前記ブレース４に対して圧縮側となる架構３の揺れについては、前記保持具６に形成された底板部８Ａによるブレース４の端部４Ａの近接移動の接当規制（図２参照）により、図８（ａ）に示すように、保持具６を介してブレース４に軸方向に沿う圧縮力を伝達し、ブレース４に圧縮力を負担させる状態で架構３の揺れに対して抵抗力を発揮する。
【００４２】
一方、前記ブレース４に対して引張側となる架構３の揺れについては、図８（ｂ）に示すように、ブレース４の端部４Ａは架構３の変形に追従せずに保持具６だけが架構３の変形に追従することで、ブレース４の端部４Ａと保持具６の底板部８Ａとが寸法Ａの分だけ相対的に離間移動し、これにより、架構３とブレース４の端部４Ａとの接合部（つまり、保持具６と仕口部５との接合箇所）に引張力が作用するのを回避する。
【００４３】
従って、この耐震架構構造によれば、軽量且つ加工が容易な木質系素材製のブレース４に圧縮力を負担させる状態で架構３の耐震化を美麗且つ簡便に行うことができるとともに、地震時において架構３とブレース４の端部４Ａとの接合部に引張力が作用して該接合部が破損する不都合が生じるのを抑止することができる。
【００４４】
上述の如く構成された耐震架構構造は、例えば、以下のようにして構築することができる（図５〜図７を参照）。
【００４５】
前記保持具６と前記分割ブレース部材４ａとを施工現場（耐震化の対象となる新設又は既設の架構３の側）に運搬する。前述の如く、分割ブレース部材４ａは一人で運搬可能な重量に設定してあるので、容易に運搬することができる。
【００４６】
次に、図６に示すように、架構３の二箇所の仕口部５の各々に対して、各保持具６の保持具本体１３を、それの挿入口８Ｂが架構３の正面側を向く同一姿勢で取り付けるとともに、図５に示すように、各分割ブレース部材４ａを組み付けてブレース４を構成する。
【００４７】
この保持具本体１３の取付け作業は、取付け板部７を仕口部５の内面に接着剤Ｊで接着接合するだけであるので、容易に取り付けることができる。
【００４８】
そして、ブレース４の各端部４Ａと保持筒部８の内面との間に緩衝材１１が介在するように保持筒部８の各内面８ａ〜８ｄに緩衝材１１を設けた状態で、図６に示すように、架構３の正面側からブレース４を架構３に近接操作してブレース４の各端部４Ａを保持具本体１３の挿入口８Ｂを通じて保持筒部８の内部に挿入し、更に、各保持具本体１３に対して蓋部材９を取り付け、図１に示す耐震架設構造が完成する。
【００４９】
〔別実施形態〕
（１）前記ブレース４を構成する木質系素材は、前述の実施形態で示した集成材に限らず無垢材等であってもよく、要するに、木材繊維を少なくとも一部に含むものであればよい。
【００５０】
（２）前述の実施形態では、前記ブレース４の両方の端部４Ａを前記保持具６に保持させる場合を例に示したが、前記ブレース４の一方の端部４Ａを前記保持具６に保持させれば、他方の端部４Ａは別途の接合構造（例えば、鋼材等で剛接合）を採用してもよい。
【００５１】
（３）前述の実施形態では、保持具６におけるブレース４の端部４Ａを保持する保持部を、ブレース４の端部４Ａを内装状態で保持する保持筒部８から構成する例を示したが、例えば、ブレース４の端部４Ａの外周面の各面（４面）の夫々の一部（幅方向中間部）に接当する板状又は棒状の接当片を設け、この４本の接当片により、ブレース軸芯に交差する方向への移動を接当規制する状態でブレース４の端部４Ａを保持させるようにしてもよい。
【００５２】
（４）前述の実施形態では、架構３の二箇所の仕口部５に対し一本の木質系素材製のブレース４を配する場合を例に挙げて説明したが、例えば、図９に示すように、４箇所の仕口部５に対してＸ字状に二本の前記ブレース４、４´を配してもよい。
【００５３】
この場合、例えば、ブレース４、４´の交差箇所において一方のブレース４´を二分割し、それの対向端面間に他方のブレース４の長さ方向中間部を配置した状態で、表側に着脱自在な蓋部材１４ａを備えた変形筒状の継手部材１４で該交差箇所を保持させるようにしてもよい。
【００５４】
（５）前述の実施形態では、前記ブレース４を所定重量毎で分割した分割ブレース４ａとして、前記ブレース４を縦割した細角形のものを例に示したが、前記ブレース４を横割した短尺のものであってもよい。
【００５５】
この場合、例えば、図１０に示すように、両端側に有底筒状（又は、無底筒状）の保持筒部１５ａを備えた継手部材１５で分割ブレース部材４ａの端面どうしを組み付け保持する構成にしてもよい。
【００５６】
また、例えば、図１１に示しように、一方の端面に凹部４ｂを形成し、且つ、他方の端面に凸部４ｄを形成した分割ブレース部材４ａの複数本を、隣接端面間において一方の分割ブレース材４ａの凹部４ｂと他方の分割ブレース４ａの凸部４ｄとを嵌合させる状態で組み付ける構成にしてもよい。
【００５７】
（６）前述の実施形態では、前記ブレース４を縦割した分割ブレース４ａが、断面正方形の細角形の角材を断面正方形となる状態に組み付ける例を示したが、例えば、図１２（ａ）に示すように、断面長方形の４本の細角形の角材を断面十字形となる状態に組み付けたり、図１２（ｂ）に示すように、断面正方形の９本の細角形の角材を断面正方形となる状態に組み付けたり、図１２（ｃ）に示すように、複数枚の板材を断面正方形となる状態に組み付けたりしてもよい。
【符号の説明】
【００５８】
３            架構
４、４´      ブレース
４Ａａ        ブレース端面
４ａ          分割ブレース部材
４ｃ          木質繊維
６            保持具
８            保持筒部
８Ａａ        ブレース端面に対する対向面
８Ｂ          挿入口
１１          緩衝材
【図１】
2014148783.tif 000003
【図２】
2014148783.tif 000004
【図３】
2014148783.tif 000005
【図４】
2014148783.tif 000006
【図５】
2014148783.tif 000007
【図６】
2014148783.tif 000008
【図７】
2014148783.tif 000009
【図８】
2014148783.tif 000010
【図９】
2014148783.tif 000011
【図１０】
2014148783.tif 000012
【図１１】
2014148783.tif 000013
【図１２】
2014148783.tif 000014